(57)【要約】【課題】ＣＯＭ分割駆動を採用する液晶装置等の電気光学装置に対して、表示領域の一部における共通電極の電位を同電位にする。【解決手段】電気光学装置（１００）は、１以上の水平ライン毎の画素電極に対応して形成される複数の共通電極（１１、ＣＯＭ１〜ＣＯＭｎ）のうち相隣接する２つの共通電極に、夫々、第１電圧（ＶＯＣＭＨ）及び第２電圧（ＶＣＯＭＬ）が交互に供給されるように、第１電圧供給線（ＺＨ）又は第２電圧供給線（ＺＬ）を共通電極と接続する接続回路（１１３）と、一部の表示領域部分に対応する共通電極に対して、第１電圧供給線及び第２電圧供給線のいずれか一方のみが接続されるように接続回路を制御する制御回路（１１２）とを備える。【選択図】図６
2009205097.tif 000002
【特許請求の範囲】
【請求項１】
表示領域を構成する複数の画素電極と、１以上の水平ライン毎の画素電極に対応して形成される複数の共通電極と、前記複数の画素電極と前記複数の共通電極との間に印加される電界に応じて駆動される電気光学物質とを備える電気光学装置であって、
前記複数の共通電極のうち相隣接する２つの共通電極に、夫々、第１電圧及び該第１電圧とは異なる第２電圧が所定期間毎に交互に供給されるように、前記第１電圧が供給される第１電圧供給線又は前記第２電圧が供給される第２電圧供給線を前記複数の共通電極の夫々と交互に接続する接続回路と、
前記表示領域のうちの一部の表示領域部分に対応する前記複数の共通電極に対して、前記第１電圧供給線及び前記第２電圧供給線のいずれか一方のみが固定的に接続されるように前記接続回路を制御する制御回路と
を備えることを特徴とする電気光学装置。
【請求項２】
前記第１電圧又は前記第２電圧を選択するための極性信号を保持するラッチ回路を更に備え、
前記制御回路は、前記ラッチ回路により保持される前記極性信号及び前記一部の表示領域部分に対する走査が行われているか否かを示す参照信号の夫々に基づいて、前記一部の表示領域部分に対応する共通電極に対して、前記第１電圧供給線及び前記第２電圧供給線のいずれか一方のみが固定的に接続されるように前記接続回路を制御することを特徴とする請求項１に記載の電気光学装置。
【請求項３】
前記制御回路は、
偶数ライン及び奇数ラインのいずれか一方に対応するように設けられ、前記参照信号の信号レベルに応じて、前記ラッチ回路により保持される前記極性信号又は固定信号レベルを有する固定信号を出力する第１制御回路部と、
前記偶数ライン及び前記奇数ラインのいずれか他方に対応するように設けられ、前記参照信号の信号レベルに応じて、前記ラッチ回路により保持される前記極性信号の反転信号又は前記固定信号を出力する第２制御回路部と
を含んでいることを特徴とする請求項２に記載の電気光学装置。
【請求項４】
前記参照信号は、前記一部の表示領域部分に対する走査が行われるタイミングでローレベルとなると共に、前記表示領域のうちの前記一部の表示領域部分以外の他の表示領域部分に対する走査が行われるタイミングでハイレベルとなり、
前記第１制御回路部は、前記ラッチ回路により保持される前記極性信号と前記参照信号との否定論理積信号を出力する否定論理積回路及び前記否定論理積信号の極性を反転させる反転回路を備え、
前記第２制御回路部は、前記ラッチ回路により保持される前記極性信号と前記参照信号の反転信号との否定論理和信号を出力する否定論理和回路を備えることを特徴とする請求項３に記載の電気光学装置。
【請求項５】
前記参照信号は、前記一部の表示領域部分に対する走査が行われるタイミングでローレベルとなると共に、前記表示領域のうちの前記一部の表示領域部分以外の他の表示領域部分に対する走査が行われるタイミングでハイレベルとなり、
前記第１制御回路部は、前記ラッチ回路により保持される前記極性信号と前記参照信号の反転信号との否定論理和信号を出力する否定論理和回路及び前記否定論理和信号の極性を反転させる反転回路を備え、
前記第２制御回路部は、前記ラッチ回路により保持される前記極性信号と前記参照信号との否定論理積信号を出力する否定論理積回路を備えることを特徴とする請求項３に記載の電気光学装置。
【請求項６】
前記制御回路は、前記一部の表示領域部分における表示を停止するパーシャル駆動を行う場合に、前記一部の表示領域部分に対応する共通電極に対して、前記第１電圧供給線及び前記第２電圧供給線のいずれか一方のみが固定的に接続されるように前記接続回路を制御することを特徴とする請求項１から５のいずれか一項に記載の電気光学装置。
【請求項７】
前記制御回路は、(i)前記一部の表示領域部分における走査を行う期間は、前記一部の表示領域部分に対応する共通電極に対して、前記第１電圧供給線及び前記第２電圧供給線のいずれか一方のみが固定的に接続されるように前記接続回路を制御し、(ii)前記表示領域のうちの前記一部の表示領域部分以外の他の表示領域部分における走査を行なう期間は、前記他の表示領域部分に対応する共通電極に対して、前記第１電圧供給線又は前記第２電圧供給線が交互に接続されるように前記接続回路を制御することを特徴とする請求項１から６のいずれか一項に記載の電気光学装置。
【請求項８】
前記電気光学装置は、前記複数の画素電極及び前記複数の共通電極の夫々が形成される第１基板と、前記第１基板に対向するように配置される第２基板とを備えており、
前記電気光学物質は、前記第１基板及び前記第２基板の間に挟持されることを特徴とする請求項１から７のいずれか一項に記載の電気光学装置。
【請求項９】
前記制御回路と前記接続回路は、前記第１基板上に形成されたことを特徴とする請求項８に記載電気光学装置。
【請求項１０】
請求項１から９のいずれか一項に記載の電気光学装置を備えることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる表示領域（画素領域）には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、表示領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
このような液晶装置においては、近年、液晶装置の低消費電力化を実現するために、共通電極を１水平ライン（１行）毎に分割する（例えば、走査線に平行な方向に沿って分割する）と共に、ある電位レベル（例えば、相対的にハイレベル）の電圧を同一行の共通電極に供給し、且つ異なる電位レベル（例えば、相対的にローレベル）の電圧を相隣接する行の共通電極に供給しつつ、係る電圧の電位レベルを１水平走査期間毎に１行ずつ反転させる駆動（以降、このような駆動を適宜“ＣＯＭ分割駆動”と称する）が行われる（特許文献１参照）。これにより、全ての共通電極に対して同一電位レベルの電圧を供給しつつ、係る全ての共通電極の電位レベルを１水平走査期間毎に一括して反転させる駆動の態様と比較して、低消費電力化を図ることができる。
【０００４】
他方で、このような液晶装置における低消費電力化を図るための他の駆動の態様として、パーシャル駆動（部分表示駆動）が用いられることがある。パーシャル駆動を採用している液晶装置においては、表示が行われない非表示領域、つまり、表示領域の一部で、液晶の駆動を止めた領域においては黒表示（ノーマリーブラックモード時）又は白表示（ノーマリーホワイトモード時）がなされる。他方で、表示領域の他の一部のみに情報として有意な画像が表示される。これにより、低消費電力化が実現される。このようなパーシャル駆動は、例えば携帯電話の待受画面等を表示する際に利用される。
【０００５】
【特許文献１】特願２００６−１８３０５１
【発明の開示】
【発明が解決しようとする課題】
【０００６】
ところで、黒表示又は白表示を行うためには、非表示領域全体において液晶に印加される電位差を同じにする必要がある。言い換えれば、非表示領域に対応する画素電極の電位を一定にすると共に、共通電極の電位を一定にする必要がある。
【０００７】
他方で、上述したＣＯＭ分割駆動においては、相隣接する水平ラインの共通電極には、相異なる電圧が供給される。このため、ＣＯＭ分割駆動を採用する液晶装置に対してパーシャル駆動を更に適用するためには、ＣＯＭ分割駆動の駆動方法を変える必要がある。ここで、ＣＯＭ分割駆動においては、相対的にハイレベルの電圧を供給するためのハイレベル電圧源に接続されるハイレベル電圧供給線と、相対的にローレベルの電圧を供給するためのローレベル電圧源に接続されるローレベル電圧供給線とを交互に、各共通電極（言い換えれば、各共通電極に対する共通電圧を供給するための共通配線）に電気的に接続することで、相隣接する水平ラインの共通電極に相異なる電圧が供給されるように構成されている。このため、仮に非表示領域に対応する共通電極の電位を一定にするためには、ハイレベル電圧供給線に対して新たにローレベル電圧源を接続するか、若しくは、ローレベル電圧供給線に対して新たにハイレベルの電圧源を接続することが一つの方法として考えられる。これにより、共通電極と電圧供給線とが接続されるタイミング等を大きく変えることなく（言い換えれば、共通電極と電圧供給線とを接続させるための回路構成を大きく変えることなく）、ＣＯＭ分割駆動を採用する液晶装置に対してパーシャル駆動を更に適用することができると考えられる。
【０００８】
しかしながら、この方法では、新たに電圧源を設ける必要があるため、共通電圧を供給するための駆動回路全体としての消費電力が増加してしまったり或いは該駆動回路の回路規模／面積／コスト等が増大してしまったりするという技術的な問題が生じてしまう。
【０００９】
また、パーシャル駆動に限らず、黒表示（ノーマリーブラックモード時）又は白表示（ノーマリーホワイトモード時）が行われる非表示領域を設けながら駆動する液晶装置においても同様の技術的な問題点が生じてしまう。
【００１０】
本発明は、例えば上述した従来の問題点に鑑みなされたものであり、例えばＣＯＭ分割駆動を採用する液晶装置等の電気光学装置に対して、表示領域の一部における共通電極の電位を同電位にすることが可能な駆動装置を備える電気光学装置、及びこのような駆動装置を備える電子機器を提供することを課題とする。
【課題を解決するための手段】
【００１１】
（電気光学装置）
本発明の電気光学装置は、表示領域を構成する複数の画素電極と、１以上の水平ライン毎の画素電極に対応して形成される複数の共通電極と、前記複数の画素電極と前記複数の共通電極との間に印加される電界に応じて駆動される電気光学物質とを備える電気光学装置であって、前記複数の共通電極のうち相隣接する２つの共通電極に、夫々、第１電圧及び該第１電圧とは異なる第２電圧が所定期間毎に交互に供給されるように、前記第１電圧が供給される第１電圧供給線又は前記第２電圧が供給される第２電圧供給線を前記複数の共通電極の夫々と交互に接続する接続回路と、前記表示領域のうちの一部の表示領域部分に対応する前記複数の共通電極に対して、前記第１電圧供給線及び前記第２電圧供給線のいずれか一方のみが固定的に接続されるように前記接続回路を制御する制御回路とを備える。
【００１２】
本発明の電気光学装置によれば、例えば液晶装置等の電気光学装置が備える共通電極に対して共通配線を介して電圧を供給することにより、電気光学装置を駆動することができる。本発明に係る電気光学装置による駆動対象となる電気光学装置は、例えば画像信号が供給されるデータ線と走査信号が供給される走査線との交差位置に対応するように設けられる複数の画素電極と、１以上の水平ライン毎に設けられる（言い換えれば、１つの走査線毎若しくは２以上の走査線毎に１つずつ設けられる）複数の共通電極とを備えている。つまり、本発明においては、通常ベタ状に形成される共通電極が、１水平ライン毎（例えば、走査線に沿って）若しくは２以上の水平ライン毎（例えば、２以上の走査線に沿って）に、電気的に分割されている。そして、水平ライン毎に、各水平ラインに属する複数の画素電極の一部と共通電極との間の電位差に起因した電圧が電気光学物質に印加されることで、画像表示等が行われる。
【００１３】
このような電気光学装置を駆動するため（特に、共通電極に対して電圧を供給するために）、本発明に係る電気光学装置は、接続回路を備えている。このとき、接続回路は、ＣＯＭ分割駆動を利用して電気光学装置を駆動する。
【００１４】
具体的には、接続回路は、例えば複数の共通電極に対応して形成される複数の共通配線を介して、電気光学装置が備える複数の共通電極の夫々に対して電圧を供給する。ここで、本発明に係る接続回路は、複数の共通電極のうちの相隣接する２つの共通電極に対して、夫々異なる電圧（つまり、第１電圧及び第２電圧）が供給されるように、第１電圧供給線又は第２電圧供給線と複数の共通電極の夫々とを電気的に接続する。言い換えれば、接続回路は、奇数ライン（奇数行）に対応する共通電極に供給される電圧の極性と、偶数ライン（偶数行）に対応する共通電極に供給される電圧の極性とが相互に反転するように、第１電圧供給線又は第２電圧供給線と複数の共通電極の夫々とを電気的に接続する。具体的には、接続回路は、一の共通電極に対して第１電圧（例えば、相対的にハイレベルな電圧）及び第２電圧（例えば、相対的にローレベルな電圧）のうちの一方が供給されるように、第１電圧供給線及び第２電圧供給線の一方と一の共通電極とを電気的に接続する。その一方で、接続回路は、一の共通電極に隣接する他の共通電極に対して第１電圧及び第２電圧のうちの他方が供給されるように、第１電圧供給線及び第２電圧供給線の他方と他の共通電極とを電気的に接続する。
【００１５】
加えて、接続回路は、各水平ラインの共通電極に対して供給される電圧が、所定期間毎に第１電圧から第２電圧へと又は第２電圧から第１電圧へと切り替えられるように、第１電圧供給線又は第２電圧供給線と複数の共通電極の夫々とを電気的に接続する。例えば、一の所定期間において一の共通電極に第１電圧及び第２電圧の一方が供給されるように第１電圧供給線及び第２電圧供給線の一方と一の共通電極とを電気的に接続すると共に、一の所定期間に続く他の所定期間において一の共通電極に第１電圧及び第２電圧の他方が供給されるように第１電圧供給線及び第２電圧供給線の他方と一の共通電極とを電気的に接続する。尚、「所定期間」とは、第１電圧から第２電圧へと又は第２電圧から第１電圧へと切り替えられる期間として、駆動方式に対応して予め設定される期間を意味し、例えば、一垂直走査期間、フレーム期間、フィールド期間等が一例としてあげられる。
【００１６】
本発明に係る電気光学装置は、更に制御回路を備えている。制御回路は、一部の表示領域部分（例えば、有効な画像が表示されない又は有効な画像信号の供給が停止される非表示領域）に対応する共通電極の全てに対して、第１電圧供給線及び第２電圧供給線のいずれか一方のみが接続されるように接続回路を制御する。つまり、一部の表示領域部分に対応する共通電極に対しては、水平ライン毎に異なる電圧供給線が接続されることがなくなる。このため、一部の表示領域部分に対応する共通電極の電圧は、第１電圧又は第２電圧に固定される。尚、このとき、制御回路は、表示領域のうちの一部の表示領域部分以外の他の一部の表示領域部分に対応する共通電極の全てに対して、第１電圧供給線及び第２電圧供給線のいずれかが接続されるように接続回路を制御してもよいし、或いはしなくともよい。
【００１７】
このため、ＣＯＭ分割駆動を採用する電気光学装置においても、一部の表示領域部分に対応する共通電極の全ての電位を同電位にすることができる。従って、一部の表示領域部分に対して黒表示（ノーマリーブラックモード時）又は白表示（ノーマリーホワイトモード時）を行うことができる。このため、例えば一部の表示領域部分を非表示領域として設定することができるため、低消費電力化を図ることができる。
【００１８】
特に、本発明によれば、第１電圧を供給する第１電圧源が第１電圧供給線に接続されており且つ第２電圧を供給するための第２電圧源が第２電圧供給線に接続されていれば、一部の表示領域部分に対応する共通電極の全ての電位を同電位にすることができる。言い換えれば、一部の表示領域部分に対応する共通電極の全ての電位を同電位にするために、第１電圧供給線に対して第２電圧を供給するための電圧源を新たに設けると共に該新たな電圧源を第１電圧供給線に対して接続する必要はない。同様に、一部の表示領域部分に対応する共通電極の全ての電位を同電位にするために、第２電圧供給線に対して第１電圧を供給するための電圧源を新たに設けると共に該新たな電圧源を第２電圧供給線に接続する必要はない。これにより、電気光学装置の消費電力を大幅に増加させることなく、ＣＯＭ分割駆動を採用する電気光学装置においてパーシャル駆動等を採用することができる。更には、電気光学装置のコストをそれほど増大させることなく、ＣＯＭ分割駆動を採用する電気光学装置においてパーシャル駆動等を採用することができる。
【００１９】
本発明の電気光学装置の一の態様では、前記第１電圧又は前記第２電圧を選択するための極性信号を保持するラッチ回路を更に備え、前記制御回路は、前記ラッチ回路により保持される前記極性信号及び前記一部の表示領域部分に対する走査が行われているか否かを示す参照信号の夫々に基づいて、前記一部の表示領域部分に対応する共通電極に対して、前記第１電圧供給線及び前記第２電圧供給線のいずれか一方のみが固定的に接続されるように前記接続回路を制御する。
【００２０】
このように構成すれば、制御回路は、接続回路が通常参照する極性信号と、共通電極の電位が同電位に設定される一部の表示領域部分に対する走査のタイミングを示す参照信号（例えば、一部の表示領域部分に対して黒表示又は白表示を行うパーシャル駆動が行われている場合には、パーシャル駆動が行われているか否かを示す信号等）とを参照することで、接続回路を制御することができる。このため、ＣＯＭ分割駆動の通常の動作に影響を与えることなく、一部の表示領域部分に対応する共通電極の全ての電位を同電位にすることができる。
【００２１】
上述の如く制御回路が極性信号及び参照信号の夫々に基づいて接続回路を制御する電気光学装置の態様では、前記制御回路は、偶数ライン及び奇数ラインのいずれか一方に対応するように設けられ、前記参照信号の信号レベルに応じて、前記ラッチ回路により保持される前記極性信号又は固定信号レベルを有する固定信号を出力する第１制御回路部と、前記偶数ライン及び前記奇数ラインのいずれか他方に対応するように設けられ、前記参照信号の信号レベルに応じて、前記ラッチ回路により保持される前記極性信号の反転信号又は前記固定信号を出力する第２制御回路部とを含んでいる。
【００２２】
このように構成すれば、一部の表示領域部分に対する走査を行う場合には、奇数ラインと偶数ラインとで同一の信号レベルを有する信号を制御回路から接続回路へと供給することができる。他方で、一部の表示領域部分以外の他の一部の表示領域部分に対する走査を行う場合には、奇数ラインと偶数ラインとで極性が反転した信号（つまり、極性信号及び極性信号の反転信号）を制御回路から接続回路へと供給することができる。従って、ＣＯＭ分割駆動の通常の動作に影響を与えることなく、従って、一部の表示領域部分に対応する共通電極の全ての電位を同電位にすることができる。
【００２３】
或いは、上述の如く制御回路が極性信号及び参照信号の夫々に基づいて接続回路を制御する電気光学装置の態様では、前記制御回路は、偶数ライン及び奇数ラインのいずれか一方に対応するように設けられ、前記参照信号の信号レベルに応じて、前記ラッチ回路により保持される前記極性信号（或いは、その反転信号）又は固定信号レベルを有する固定信号を出力する第１制御回路部と、前記偶数ライン及び前記奇数ラインのいずれか他方に対応するように設けられ、前記参照信号の信号レベルに応じて、前記ラッチ回路により保持される前記極性信号（或いは、その反転信号）又は前記固定信号の反転信号を出力する第２制御回路部とを含んでいるように構成してもよい。
【００２４】
このように構成しても、一部の表示領域部分に対応する共通電極の全ての電位を同電位にすることができる。
【００２５】
上述の如く制御回路が第１制御回路部及び第２制御回路部を備える電気光学装置の態様では、前記参照信号は、前記一部の表示領域部分に対する走査が行われるタイミングでローレベルとなると共に、前記表示領域のうちの前記一部の表示領域部分以外の他の表示領域部分に対する走査が行われるタイミングでハイレベルとなり、前記第１制御回路部は、前記ラッチ回路により保持される前記極性信号と前記参照信号との否定論理積信号を出力する否定論理積回路及び前記否定論理積信号の極性を反転させる反転回路を備え、前記第２制御回路部は、前記ラッチ回路により保持される前記極性信号と前記参照信号の反転信号との否定論理和信号を出力する否定論理和回路を備えるように構成してもよい。
【００２６】
このように構成すれば、参照信号がローレベルとなる場合（つまり、一部の表示領域部分に対する走査を行う場合）には、第１制御回路部（特に、第１制御回路部が備える否定論理積回路）からは、相対的にローレベルの固定信号が出力される。また、第２制御回路部（特に、第２制御回路部が備える否定論理和回路）からは、相対的にローレベルの固定信号が出力される。従って、奇数ラインと偶数ラインとで同一の信号レベルを有する信号を制御回路から接続回路へと供給することができる。他方で、参照信号がハイレベルとなる場合（つまり、他の一部の表示領域部分に対する走査を行う場合）には、第１制御回路部（特に、第１制御回路部が備える否定論理積回路）からは、極性信号が出力される。また、第２制御回路部（特に、第２制御回路部が備える否定論理和回路）からは、極性信号の反転信号が出力される。従って、奇数ラインと偶数ラインとで極性が反転した信号を制御回路から接続回路へと供給することができる。これにより、ＣＯＭ分割駆動の通常の動作に影響を与えることなく、従って、一部の表示領域部分に対応する共通電極の全ての電位を同電位にすることができる。
【００２７】
上述の如く制御回路が第１制御回路部及び第２制御回路部を備える電気光学装置の態様では、前記参照信号は、前記一部の表示領域部分に対する走査が行われるタイミングでローレベルとなると共に、前記表示領域のうちの前記一部の表示領域部分以外の他の表示領域部分に対する走査が行われるタイミングでハイレベルとなり、前記第１制御回路部は、前記ラッチ回路により保持される前記極性信号と前記参照信号の反転信号との否定論理和信号を出力する否定論理和回路及び前記否定論理和信号の極性を反転させる反転回路を備え、前記第２制御回路部は、前記ラッチ回路により保持される前記極性信号と前記参照信号との否定論理積信号を出力する否定論理積回路を備えるように構成してもよい。
【００２８】
このように構成すれば、参照信号がローレベルとなる場合（つまり、一部の表示領域部分に対する走査を行う場合）には、第１制御回路部（特に、第１制御回路部が備える否定論理和回路）からは、相対的にハイレベルの固定信号が出力される。また、第２制御回路部（特に、第２制御回路部が備える否定論理積回路）からは、相対的にハイレベルの固定信号が出力される。従って、奇数ラインと偶数ラインとで同一の信号レベルを有する信号を制御回路から接続回路へと供給することができる。他方で、参照信号がハイレベルとなる場合（つまり、他の一部の表示領域部分に対する走査を行う場合）には、第１制御回路部（特に、第１制御回路部が備える否定論理和回路）からは、極性信号が出力される。また、第２制御回路部（特に、第２制御回路部が備える否定論理積回路）からは、極性信号の反転信号が出力される。従って、奇数ラインと偶数ラインとで極性が反転した信号を制御回路から接続回路へと供給することができる。これにより、ＣＯＭ分割駆動の通常の動作に影響を与えることなく、従って、一部の表示領域部分に対応する共通電極の全ての電位を同電位にすることができる。
【００２９】
本発明の電気光学装置の他の態様では、前記制御回路は、前記一部の表示領域部分における表示を停止するパーシャル駆動を行う場合に、前記一部の表示領域部分に対応する共通電極に対して、前記第１電圧供給線及び前記第２電圧供給線のいずれか一方のみが固定的に接続されるように前記接続回路を制御する。
【００３０】
この態様によれば、パーシャル駆動を行うことで一部の表示領域部分において黒表示又は白表示を行う場合であっても、上述した各種効果を好適に享受することができる。
【００３１】
尚、ここでいう「表示の停止」とは、画像信号、走査信号等の供給を停止させることで駆動を停止させ、文字通り表示を停止させる状態のみならず、画像信号、走査信号等の供給周期（書き込み周期）を減らす状態、液晶のオフ電位（共通電極と同じ電位）を画素に書き込むことで黒表示または白表示を行う状態、並びに、意味のある画像信号の供給を停止させることで画像表示に寄与しない状態をも含む広い趣旨である。すなわち、前記一部の表示領域部分の表示が停止しているように見える状態であれば「表示の停止」に該当する。
【００３２】
本発明の電気光学装置の他の態様では、前記制御回路は、(i)前記一部の表示領域部分における走査を行う期間は、前記一部の表示領域部分に対応する共通電極に対して、前記第１電圧供給線及び前記第２電圧供給線のいずれか一方のみが接続されるように前記接続回路を制御し、(ii)前記表示領域のうちの前記一部の表示領域部分以外の他の表示領域部分における走査を行なう期間は、前記他の表示領域部分に対応する共通電極に対して、前記第１電圧供給線又は前記第２電圧供給線が交互に接続されるように前記接続回路を制御する。
【００３３】
この態様によれば、一部の表示領域部分を非表示領域として設定しつつ、他の一部の表示領域部分を用いて通常の画像表示動作を行うことができる。
【００３４】
本発明の電気光学装置の他の態様では、前記電気光学装置は、前記複数の画素電極及び前記複数の共通電極の夫々が形成される第１基板と、前記第１基板に対向するように配置される第２基板とを備えており、前記電気光学物質は、前記第１基板及び前記第２基板の間に挟持される。
【００３５】
この態様によれば、例えば、ＦＦＳ方式やＩＰＳ方式等の横電界駆動方式の電気光学装置において、上述した各種効果を享受することができる。
【００３６】
尚、複数の共通電極は、第２基板側に形成されてもよい。
【００３７】
上述の如く複数の画素電極及び複数の共通電極の夫々が形成される第１基板を備える電気光学装置では、前記制御回路と前記接続回路が前記第１基板上に形成されるように構成してもよい。
【００３８】
この態様によれば、制御回路と接続回路は、電気光学装置の基板上に、低温ポリシリコン技術を用いて基板を構成するガラス基板上に回路集積を行なうシステム・オン・グラス（ＳＯＧ）技術により、画素電極が形成された第１基板と同じガラス基板上に形成される。これにより、半導体部品点数の削減、組立の簡便化ができ、外部回路基板も縮小でき、電気光学装置全体として小型・軽量化・低コスト化を実現することができる。
【００３９】
（電子機器）
上記課題を解決するために、本発明の電子機器は、上述した本発明の電気光学装置（但し、その各種態様を含む）を備える。
【００４０】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００４１】
本発明の作用及び他の利得は次に説明する実施の形態から更に明らかにされよう。
【発明を実施するための最良の形態】
【００４２】
以下、本発明を実施するための最良の形態を、図面に基づいて説明する。尚、以下では、本発明に係る電気光学装置の一例として、液晶装置を用いて説明を進める。
【００４３】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００４４】
図１及び図２において、本実施形態に係る液晶装置１００では、本発明に係る「第１基板」の一例としてのＴＦＴアレイ基板１０と本発明における「第２基板」の一例としての対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００４５】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のスペーサが散布されている。
【００４６】
シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０１は、シール領域よりも内側に、データ線駆動回路１０１が額縁遮光膜５３に覆われるようにして設けられていてもよい。また、走査線駆動回路１０４及び共通配線駆動回路１１０は、この一辺に隣接する２辺に沿ったシール領域の内側に、額縁遮光膜５３に覆われるようにして設けられている。
【００４７】
図２において、ＴＦＴアレイ基板１０上には、駆動素子である画素スイッチング用のＴＦＴ（Thin Film Transistor）や走査線、データ線等の配線が作り込まれた積層構造が形成されている。具体的には、画像表示領域１０ａには、画素スイッチング用ＴＦＴや走査線、データ線等の配線の上層に共通電極１１、絶縁層１２及び画素電極９ａがこの順に形成されている。つまり、本実施形態に係る液晶装置１００は、画素電極９ａと共通電極１１との間に生ずる電界によって液晶層５０の配向状態を制御する横電界駆動方式（特に、ＦＦＳ（Fringe Field Switching）方式）を採用している。ここで、画素電極９ａは、画像表示領域１０ａを構成する各画素を形成するようにマトリクス状に設けられている。一方で、共通電極１１は、１つの行に属する画素電極９ａに対応する共通電極が、１水平ラインごとに配置される走査線ごとに配置されるデータ線ごとに分割されている。尚、共通電極１１は、複数ラインごとに分割、すなわち、１以上の水平ごとの画素電極に対応して形成されていてもよい。また、本実施形態では、共通電極１１と共通配線ＣＯＭは、同一プロセスにより一体に形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上にカラーフィルタ８が形成されている。また、液晶層５０は、例えば一種又は数種類のネマティック液晶を混合した液晶からなり、一対の基板間で、所定の配向状態をとる。
【００４８】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４９】
（２）液晶装置の詳細な構成
続いて、図３を参照して、本実施形態に係る液晶装置１００の要部の電気的な構成について説明する。ここに、図３は、本実施形態に係る液晶装置１００の要部の電気的な構成を概念的に示すブロック図である。
【００５０】
図３において、本実施形態に係る液晶装置１００は、そのＴＦＴアレイ基板１０上の画像表示領域１０ａの周辺に位置する周辺領域に、走査線駆動回路１０４、データ線駆動回路１０１、共通配線駆動回路１１０等の駆動回路が形成されている。
【００５１】
走査線駆動回路１０４は、走査信号を、走査線Ｙ１からＹｎ（但し、ｎは１以上の整数）に順次供給する。例えば、ある走査線Ｙａ（但し、ａは、１≦ａ≦ｎを満たす整数）にハイレベルの走査信号が供給されると、この走査線Ｙａに接続されたＴＦＴ１１６が全てオン状態となり、この走査線Ｙａに対応する画素部７０が全て選択される。
【００５２】
データ線駆動回路１０１は、画像信号を、データ線Ｘ１からＸｍ（但し、ｍは１以上の整数）に順次供給し、オン状態のＴＦＴ１１６を介してこの画像信号に基づく画像電圧を画素電極９ａに書き込む。
【００５３】
共通配線駆動回路１１０は、後に詳述するように、第１電圧ＶＣＯＭＨ又は第１電圧ＶＣＯＭＨよりも電位が低い第２電圧ＶＣＯＭＬ（言い換えれば、画像信号に基づく画像電圧所定の基準電位（例えば、画像信号に基づく画像電圧の中心電位）に対して正極性の第１電圧ＶＣＯＭＨ（例えば、５Ｖ）又は所定の基準電位に対して負極性の第２電圧ＶＣＯＭＬ（例えば、０Ｖ））を、共通配線ＣＯＭ１からＣＯＭｎに供給する。より具体的には、共通配線駆動回路１１０は、ａ行目の共通配線ＣＯＭａに対して、１フレーム期間毎に、第１電圧ＶＣＯＭＨと第２電圧ＶＣＯＭＬとを交互に供給する。例えば、共通配線駆動回路１１０は、ある１フレーム期間において、共通配線ＣＯＭａに第１電圧ＶＣＯＭＨを供給した場合には、次の１フレーム期間において、共通配線ＣＯＭａに第２電圧ＶＣＯＭＬを供給する。他方、共通配線駆動回路１１０は、ある１フレーム期間において、共通配線ＣＯＭａに第２電圧ＶＣＯＭＬを供給した場合には、次の１フレーム期間において、共通配線ＣＯＭａに第１電圧ＶＣＯＭＨを供給する。また、共通配線駆動回路１１０は、互いに隣接する共通配線ＣＯＭａ−１と共通配線ＣＯＭａには、互いに異なる電圧を供給する。つまり、共通配線駆動回路１１０は、共通配線ＣＯＭａ−１に第１電圧ＶＣＯＭＨ（又は、第２電圧ＶＣＯＭＬ）を供給する一方で、共通配線ＣＯＭａ−１に隣接する共通配線ＣＯＭａに第２電圧ＶＣＯＭＬ（又は、第１電圧ＶＣＯＭＨ）を供給する。尚、共通配線駆動回路１１０の構成や詳細な動作については後に詳細に説明する（図４から図７参照）。
【００５４】
尚、本実施形態では、画像表示領域１０ａの左右のいずれかに共通配線駆動回路１１０が１つ設けられる構成を図示しているが、画像表示領域１０ａの左右の夫々に共通配線駆動回路１１０が設けられているように構成してもよい。この２つの共通配線駆動回路１１０は、互いに同じ構成を有すると共に同じ動作（同じ信号、電圧が入力され、同じタイミングで、同じ信号、電圧を共通配線ＣＯＭａに出力する）を行う。このため、以降の説明では、単に“共通線駆動回路１１０”と称する場合には、２つの共通配線駆動回路１１０の夫々を示しているものとする。
【００５５】
本実施形態に係る液晶装置１００には、更に、そのＴＦＴアレイ基板１０の中央を占める画像表示領域１０ａに、マトリクス状に配列された複数の画素部７０が設けられている。
【００５６】
画素部７０は、画素スイッチング用のＴＦＴ１１６、液晶容量１１８及び蓄積容量１１９を備えている。
【００５７】
ＴＦＴ１１６は、ソース端子がデータ線Ｘ１からＸｍのいずれかに電気的に接続され、ゲート端子が走査線Ｙ１からＹｎのいずれかに電気的に接続され、ドレイン端子が画素電極９ａに電気的に接続されている。画素スイッチング用のＴＦＴ１１６は、走査線駆動回路１０４から供給される走査信号によってオン状態及びオフ状態が切り換えられる。
【００５８】
液晶容量１１８は、画素電極９ａ、共通電極１１並びに画素電極９ａ及び共通電極１１間に位置する液晶から構成されている。画素電極９ａは、ＴＦＴ１１６を介してデータ線Ｘ１からＸｍのいずれかと電気的に接続されている。共通電極１１は、共通配線ＣＯＭ１からＣＯＭｎのいずれかと電気的に接続されている。尚、画素電極９ａ及び共通電極１１は、上述したように、いずれもＴＦＴアレイ基板１０上に設けられている。液晶装置１００の動作時には、データ線Ｘ１からＸｍ及びＴＦＴ１１６を介して供給された画像信号の電位を有する画素電極９ａと、共通配線ＣＯＭ１からＣＯＭｎを介して供給された第１電圧ＶＣＯＭＨ又は第２電圧ＶＣＯＭＬの電位を有する共通電極１１との間には、ＴＦＴアレイ基板１０の基板面に沿った横電界が生じる。液晶は、当該横電界に応じて駆動されることによって、即ち、当該横電界に応じて分子集合の配向や秩序が変化することによって、光を変調し、階調表示を可能とする。
【００５９】
蓄積容量１１９は、保持された画像信号がリークするのを防ぐために、液晶容量１１８と並列に付加されている。蓄積容量１１９を構成する一方の電極は、画素電極９ａに電気的に接続され、他方の電極は、共通電極１１に電気的に接続されている。尚、本実施形態では、共通配線ＣＯＭａは、１水平ラインごとに分割された共通電極１１と一体に形成されている。
【００６０】
以上の液晶装置１００は、以下のように動作する。
【００６１】
まず、走査線駆動回路１０４から走査線Ｙａにハイレベルの走査信号を供給することで、走査線Ｙａに接続された全てのＴＦＴ１１６をオン状態にして、走査線Ｙａに係る全ての画素部７０を選択する。
【００６２】
また、走査線Ｙａに係る画素部７０の選択に同期して、データ線駆動回路１０１からデータ線Ｘ１からＸｍに、共通配線ＣＯＭ１からＣＯＭｎの電位に応じて、正極性の画像信号と負極性の画像信号とを、１水平走査期間毎に交互に供給する。具体的には、共通配線ＣＯＭａの電位が第１電圧ＶＣＯＭＨであれば、所定の基準電位に対して負極性の画像信号をデータ線Ｘ１からＸｍに供給する。他方、共通配線ＣＯＭａの電位が第２電圧ＶＣＯＭＬであれば、所定の基準電位に対して正極性の画像信号をデータ線Ｘ１からＸｍに供給する。
【００６３】
これにより、走査線駆動回路１０４で選択した全ての画素部７０に、データ線駆動回路１０１からデータ線Ｘ１からＸｍ及びＴＦＴ１１６を介して画像信号が供給される、この画像信号に基づく画像電圧が画素電極９ａに書き込まれる。これにより、画素電極９ａと共通電極１１との間に電位差が生じて、駆動電圧が液晶に印加される。
【００６４】
本実施形態に係る液晶装置１００は特に、パーシャル駆動を行うことができる。つまり、本実施形態に係る液晶装置１００は、画像表示領域１０ａの一部（以降、適宜“有効表示領域”と称する）のみを用いて画像表示を行うと共に、画像表示領域１０ａの他の一部（以降、“非表示領域”と称する）においては黒表示（例えば、ノーマリーブラックモード時）又は白表示（例えば、ノーマリーホワイトモード時）を行う。
【００６５】
ここで、パーシャル駆動を行う（つまり、非表示領域において黒表示又は白表示を行う）ためには、非表示領域に対する走査を行う場合には、少なくとも非表示領域に対応する共通電極１１に対して同一の電圧を供給する必要がある。他方で、有効表示領域に対する走査を行う場合には、少なくとも有効表示領域においては、互いに隣接する共通配線ＣＯＭａ−１と共通配線ＣＯＭａとには互いに異なる電圧が供給される必要がある。従って、本実施形態に係る液晶装置１００が備える共通配線駆動回路１１０は、以下に詳しく説明する構成を有することで、パーシャル駆動を行いつつも、互いに隣接する共通配線ＣＯＭａ−１と共通配線ＣＯＭａとに対して互いに異なる電圧を供給する。
【００６６】
（３）共通配線駆動回路の具体的な構成及び動作
続いて、図４を参照して、共通配線駆動回路１１０の具体的な構成及び動作について説明する。ここに、図４は、共通配線駆動回路１１０の構成を概念的に示すブロック図である。
【００６７】
図４に示すように、共通配線駆動回路１１０は、ラッチ回路１１１と、本発明における「制御回路」の一具体例を構成する制御信号出力回路１１２と、本発明における「接続回路」の一具体例を構成する電圧選択回路１１３とを備えている。
【００６８】
続いて、図５を参照して、共通配線駆動回路１１０が備えるラッチ回路１１１の構成について説明する。ここに、図５は、共通配線駆動回路１１０が備えるラッチ回路１１１の構成を概念的に示すブロック図である。
【００６９】
図５に示すように、ラッチ回路１１１は、１行目の共通配線ＣＯＭ１及びｎ行目の共通配線ＣＯＭｎに対応して設けられた第１ラッチ回路部１１１−１＃１及び１１１−１＃ｎと、２行目からｎ−１行目の共通配線ＣＯＭ２からＣＯＭｎ−１に対応して設けられた第２ラッチ回路部１１１−２＃２から１１１−２＃ｎ−１（つまり、共通配線ＣＯＭｂ（但し、ｂは、２≦ｂ≦ｎ−１を満たす整数）に対応して設けられた第２ラッチ回路部１１１−２＃ｂ）とを含んでいる。
【００７０】
第２ラッチ回路部１１１−２＃ｂは、ＮＯＲ回路Ｕ１１、第１インバータＵ１２、第２インバータＵ１３、第１クロックドインバータＵ１４及び第２クロックドインバータＵ１５を備えている。
【００７１】
ＮＯＲ回路Ｕ１１の２つの入力端子には、夫々、第２ラッチ回路部１１１−２＃ｂに対応する共通配線ＣＯＭｂの前段（つまり、前の行であって、ｂ−１行目）の走査線Ｙｂ−１と、第２ラッチ回路部１１１−２＃ｂに対応する共通配線ＣＯＭｂの後段（つまり、後の行であって、ｂ＋１行目）の走査線Ｙｂ＋１とが電気的に接続されている。
【００７２】
第１インバータＵ１２の入力端子、第１クロックドインバータＵ１４の反転入力制御端子及び第２クロックドインバータＵ１５の非反転入力端子の夫々には、ＮＯＲ回路Ｕ１１の出力端子が電気的に接続されている。また、第１インバータＵ１２の出力端子には、第１のクロックドインバータＵ１４の非反転入力制御端子及び第２クロックドインバータＵ１５の反転入力端子の夫々が電気的に接続されている。
【００７３】
第１クロックドインバータＵ１４の入力端子には、極性信号ＰＯＬが入力されている。尚、極性信号ＰＯＬは、１垂直走査期間（例えば、１フィールド期間又は１フレーム期間）毎に電位レベルがハイレベルからローレベルへと又はローレベルからハイレベルへと切り替わる信号である。第１クロックドインバータＵ１４の出力端子には、第２クロックドインバータＵ１５の出力端子及び第２インバータＵ１３の入力端子の夫々が電気的に接続されている。第２クロックドインバータＵ１５の入力端子には、第２インバータＵ１３の出力端子が電気的に接続されている。
【００７４】
以上の第２ラッチ回路部１１１−２＃ｂは、以下のように動作する。
【００７５】
まず、走査線Ｙｂ−１及び走査線Ｙｂ＋１の少なくとも一方にハイレベルの走査信号が供給されると、該ハイレベルの走査信号は、ＮＯＲ回路Ｕ１１に入力される。その結果、ＮＯＲ回路Ｕ１１の出力端子からは、ローレベルの信号が出力される。ＮＯＲ回路Ｕ１１の出力であるローレベルの信号は、第１クロックドインバータＵ１４の反転入力制御端子に入力される。また、ＮＯＲ回路Ｕ１１の出力であるローレベルの信号は、第１インバータＵ１２により極性が反転されてハイレベルの信号に変換され、該ハイレベルの信号が第１クロックドインバータＵ１４の非反転入力制御端子に入力される。このため、第１クロックドインバータＵ１４はオン状態となり、極性信号ＰＯＬの極性を反転した信号である反転極性信号／ＰＯＬを出力する。この第１クロックドインバータＵ１４から出力された反転極性信号／ＰＯＬは、第２インバータＵ１３により極性が再度反転されて極性信号ＰＯＬに戻り、ラッチ信号ＬＡＴｂとして出力される。
【００７６】
他方、走査線Ｙｂ−１及び走査線Ｙｂ＋１の双方にローレベルの走査信号が供給されると、該ローレベルの走査信号は、ＮＯＲ回路Ｕ１１に入力される。その結果、ＮＯＲ回路Ｕ１１の出力端子からは、ハイレベルの信号が出力される。ＮＯＲ回路Ｕ１１の出力であるハイレベルの信号は、第２クロックドインバータＵ１５の非反転入力制御端子に入力される。また、ＮＯＲ回路Ｕ１１の出力であるハイレベルの信号は、第１インバータＵ１２により極性が反転されてローレベルの信号に変換され、該ローレベルの信号が第２クロックドインバータＵ１５の反転入力制御端子に入力される。このため、第２クロックドインバータＵ１５はオン状態となり、第２インバータＵ１３から出力された極性信号ＰＯＬの極性を反転した信号（つまり、反転極性信号／ＰＯＬ）を出力する。この第２クロックドインバータＵ１５から出力された反転極性信号／ＰＯＬは、第２インバータＵ１３により極性が再度反転されて極性信号ＰＯＬに戻り、極性信号ＰＯＬがラッチ信号ＬＡＴｂとして出力される。
【００７７】
即ち、第２ラッチ回路部１１１−２＃ｂは、走査線Ｙｂ−１及び走査線Ｙｂ＋１の少なくとも一方にハイレベルの走査信号が供給されると、極性信号ＰＯＬを取り込んで、この取り込んだ極性信号ＰＯＬをラッチ信号ＬＡＴｂとして出力する。また、第２ラッチ回路部１１１−２＃ｂは、走査線Ｙｂ−１及び走査線Ｙｂ＋１の双方にローレベルの走査信号が供給されると、ラッチ信号ＬＡＴｂを第２インバータＵ１３及び第２クロックドインバータＵ１５により保持しつつ、出力する。つまり、第２ラッチ回路部１１１−２＃ｂは、ハイレベルの走査信号が走査線Ｙｂ−１及び走査線Ｙｂ＋１の少なくとも一方に入力された時点で取り込んだ極性信号ＰＯＬを、少なくとも１垂直走査期間の間出力し続けることができる。
【００７８】
続いて、第１ラッチ回路部１１１−１＃１及び１１１−１＃ｎについて説明する。第１ラッチ回路部１１１−１＃１及び１１１−１＃ｎは、第２ラッチ回路部１１１−２＃ｂと比較して、ＮＯＲ回路Ｕ１１に代えて、低電位電源ＶＬＬが第１インバータＵ１２の入力端子、第１クロックドインバータＵ１４の反転入力制御端子及び第２クロックドインバータＵ１５の非反転入力端子の夫々に電気的に接続されているという点において異なっている。第１ラッチ回路部１１１−１＃１及び１１１−１＃ｎの動作については、第２ラッチ回路部１１１−２＃ｂの動作と同様である。つまり、第１ラッチ回路部１１１−１＃１及び１１１−１＃ｎでは、第１クロックドインバータＵ１４が常にオン状態になり、取り込んだ極性信号ＰＯＬを、常に出力し続けることができる。
【００７９】
続いて、図６を参照して、共通配線駆動回路１１０が備える制御信号出力回路１１２の構成について説明する。ここに、図６は、共通配線駆動回路１１０が備える制御信号出力回路１１２の構成を概念的に示すブロック図である。
【００８０】
図６に示すように、制御信号出力回路１１２は、奇数行の共通配線ＣＯＭｉ（但し、ｉは、１≦ｉ≦ｎを満たす奇数であり、具体的には、１、３、・・・ｋ−１、・・・、ｎ−１）に対応して設けられた第１制御信号出力回路部１１２−１＃ｉと、偶数行の共通配線ＣＯＭｊ（但し、ｊは、１≦ｉ≦ｎを満たす偶数であり、具体的には、２、４、・・・、ｋ、・・・、ｎ）に対応して設けられた第２制御信号出力回路部１１２−２＃ｊとを含んでいる。尚、図６においては、ｋが偶数である場合の例について図示している。
【００８１】
第１制御信号出力回路部１１２−１＃ｉは、ＮＡＮＤ回路Ｕ２１及びインバータＵ２２を備えている。ＮＡＮＤ回路Ｕ２１の２つの入力端子には、夫々、ラッチ信号ＬＡＴｉ及びパーシャル駆動信号ＰＳＬが入力される。ＮＡＮＤ回路Ｕ２１の出力端子は、インバータＵ２２の入力端子と電気的に接続されている。
【００８２】
尚、パーシャル駆動信号ＰＳＬは、本発明における「参照信号」の一具体例を構成しており、パーシャル駆動が行われるか否かを示す信号である。具体的には、パーシャル駆動信号ＰＳＬは、例えば、非表示領域に対する走査を行う間はローレベルの信号レベルを有する一方で、有効表示領域に対する走査を行う間はハイレベルの信号レベルを有する信号である。例えば、走査線Ｙ１からＹ３０に対応する有効表示領域のみを用いて画像表示を行うと共に、走査線Ｙ３１からＹｎに対応する非表示領域に対して黒表示又は白表示を行う場合には、パーシャル駆動信号ＰＳＬは、走査線Ｙ１からＹ３０にハイレベルの走査信号が供給される期間はローレベルの信号レベルを有する一方で、走査線Ｙ３１からＹｎにハイレベルの走査信号が供給される期間はハイレベルの信号レベルを有する信号となる。
【００８３】
以上の第１制御信号出力回路部１１２−１＃ｉは、以下のように動作する。
【００８４】
まず、パーシャル駆動信号ＰＳＬがハイレベルの信号である場合には、ＮＡＮＤ回路Ｕ２１は、ラッチ信号ＬＡＴｉの極性を反転した信号である反転ラッチ信号／ＬＡＴｉ（つまり、反転極性信号／ＰＯＬ）を出力する。ＮＡＮＤ回路Ｕ２１から出力された反転ラッチ信号／ＬＡＴｉは、インバータＵ２２において極性が反転される。その結果、インバータＵ２２からは、ラッチ信号ＬＡＴｉ（つまり、極性信号ＰＯＬ）が制御信号Ｓｉとして出力される。他方で、パーシャル駆動信号ＰＳＬがローレベルの信号である場合には、ＮＡＮＤ回路Ｕ２１は、ラッチ信号ＬＡＴｉがハイレベルの信号であるか又はローレベルの信号であるかに依存することなく、ハイレベルの信号を出力する。ＮＡＮＤ回路Ｕ２１から出力されたハイレベルの信号は、インバータＵ２２において極性が反転される。その結果、インバータＵ２２からは、ローレベルの信号が制御信号Ｓｉとして出力される。
【００８５】
続いて、第２制御信号出力回路部１１２−２＃ｊは、インバータＵ２３及びＮＯＲ回路Ｕ２４を備えている。インバータＵ２３の入力端子には、ラッチ信号ＬＡＴｊが入力される。また、ＮＯＲ回路Ｕ２４の２つの入力端子には、夫々、インバータＵ２２の出力及びパーシャル駆動信号ＰＳＬが入力される。
【００８６】
以上の第２制御信号出力回路部１１２−２＃ｊは、以下のように動作する。
【００８７】
まず、パーシャル駆動信号ＰＳＬがハイレベルの信号である場合には、ＮＯＲ回路Ｕ２１は、ラッチ信号ＬＡＴｉの極性を反転した信号である反転ラッチ信号／ＬＡＴｉ（つまり、反転極性信号／ＰＯＬ）を制御信号Ｓｊとして出力する。他方で、パーシャル駆動信号ＰＳＬがローレベルの信号である場合には、ＮＯＲ回路Ｕ２３は、ラッチ信号ＬＡＴｉがハイレベルの信号であるか又はローレベルの信号であるかに依存することなく、ローレベルの信号を制御信号Ｓｊとして出力する。
【００８８】
続いて、図７を参照して、共通配線駆動回路１１０が備える電圧選択回路１１３の構成について説明する。ここに、図７は、共通配線駆動回路１１０が備える電圧選択回路１１３の構成を概念的に示すブロック図である。
【００８９】
図７に示すように、電圧選択回路１１３は、共通配線ＣＯＭ１からＣＯＭｎに対応して設けられた電圧選択回路部１１３−１＃ａ（但し、ａは、１≦ａ≦ｎを満たす整数）を含んでいる。
【００９０】
電圧選択回路部１１３−１＃ａは、インバータＵ３１、ＴＦＴＵ３２及びＴＦＴＵ３３を備えている。インバータＵ３１の入力端子には、第１制御信号出力部１１２−１＃ａ（但し、ａが奇数である場合）又は第２制御信号出力部１１２−２＃ａ（但し、ａが偶数である場合）から出力される制御信号Ｓａが入力される。ＴＦＴＵ３２の非反転入力ゲート端子及びＴＦＴＵ３３の反転入力ゲート端子の夫々には、インバータＵ３１の出力端子が電気的に接続されている。ＴＦＴＵ３３のソース端子には、第１電圧ＶＣＯＭＨが供給される第１電圧供給線ＺＨが電気的に接続されている。また、ＴＦＴＵ３２のソース端子には、第２電圧ＶＣＯＭＬが供給される第２電圧供給線ＺＬが電気的に接続されている。また、ＴＦＴＵ３２のドレイン端子及びＴＦＴＵ３３のドレイン端子の夫々は、共通配線ＣＯＭａに電気的に接続される。
【００９１】
以上の電圧選択回路部１１３−１＃ａは、以下のように動作する。
【００９２】
まず、第１制御信号出力回路部１１２−１＃ａからラッチ信号ＬＡＴａが制御信号Ｓａとして出力されている場合（但し、ａが奇数である場合）又は第２制御信号出力回路部１１２−２＃ａから反転ラッチ信号／ＬＡＴａが制御信号Ｓａとして出力されている場合（但し、ａが偶数である場合）について説明する。つまり、パーシャル駆動信号ＰＳＬがハイレベルの信号であり、第１制御信号出力回路部１１２−１＃ａから極性信号ＰＯＬが制御信号Ｓａとして出力されている場合（但し、ａが奇数である場合）又は第２制御信号出力回路部１１２−２＃ａから反転極性信号／ＰＯＬが制御信号Ｓａとして出力されている場合（但し、ａが偶数である場合）について説明する。尚、以下では、説明をより明確にするために、ａが奇数である場合（つまり、ａ＝ｉである場合）と、ａが偶数である場合（つまり、ａ＝ｊである場合）との夫々について説明する。
【００９３】
まず、ａが奇数である場合には、第１制御信号出力回路部１１２−１＃ａからは極性信号ＰＯＬが制御信号Ｓａとして出力される。この極性信号ＰＯＬは、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がローレベルである場合には、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭａとが、ＴＦＴＵ３２を介して電気的に接続される。他方で、極性信号ＰＯＬの極性がハイレベルである場合には、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭａとが、ＴＦＴＵ３３を介して電気的に接続される。
【００９４】
一方で、ａが偶数である場合には、第２制御信号出力回路部１１２−２＃ａからは反転極性信号／ＰＯＬが制御信号Ｓａとして出力される。この反転極性信号／ＰＯＬは、インバータＵ３１において反転された後、ＴＦＴＵ３２の非反転入力ゲート端子及びＴＦＴＵ３３の反転入力ゲート端子の夫々に入力される。このため、極性信号ＰＯＬの極性がローレベルである場合には、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭａとが、ＴＦＴＵ３３を介して電気的に接続される。他方で、極性信号ＰＯＬの極性がハイレベルである場合には、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭａとが、ＴＦＴＵ３２を介して電気的に接続される。
【００９５】
このように、パーシャル駆動信号ＰＳＬがハイレベルの信号である場合（つまり、有効表示領域に対する走査を行っている場合）には、互いに隣接する共通配線ＣＯＭａ−１と共通配線ＣＯＭａとに対して互いに異なる電圧が供給される。この場合、データ線Ｘ１からＸｍには、データ線駆動回路１０１から、表示するべき画像に応じた画像信号が供給される。従って、当該有効表示領域においては、通常の画像表示動作が行われる。
【００９６】
続いて、第１制御信号出力回路部１１２−１＃ａ又は第２制御信号出力回路部１１２−２＃ａから、ラッチ信号ＬＡＴｉがハイレベルの信号であるか又はローレベルの信号であるかに依存することなく、ローレベルの信号が制御信号Ｓａとして出力されている場合について説明する。つまり、パーシャル駆動信号ＰＳＬがローレベルの信号である場合について説明する。
【００９７】
まず、ａが奇数である場合には、第１制御信号出力回路部１１２−１＃ａからはローレベルの信号が制御信号Ｓａとして出力される。このローレベルの信号は、インバータＵ３１において反転された後、ＴＦＴＵ３２の非反転入力ゲート端子及びＴＦＴＵ３３の反転入力ゲート端子の夫々に入力される。このため、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭａとが、ＴＦＴＵ３２を介して電気的に接続される。
【００９８】
一方で、ａが偶数である場合には、第２制御信号出力回路部１１２−２＃ａからはローレベルの信号が制御信号Ｓａとして出力される。このローレベルの信号は、インバータＵ３１において反転された後、ＴＦＴＵ３２の非反転入力ゲート端子及びＴＦＴＵ３３の反転入力ゲート端子の夫々に入力される。このため、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭａとが、ＴＦＴＵ３２を介して電気的に接続される。
【００９９】
このように、パーシャル駆動信号ＰＳＬがローレベルの信号である場合（つまり、非表示領域に対する走査を行っている場合）には、非表示領域に対応する全ての共通配線ＣＯＭに対して第２電圧ＶＣＯＭＬが供給される。この場合、データ線Ｘ１からＸｍには、データ線駆動回路１０１から、第２電圧ＶＣＯＭＬが供給される。従って、当該非表示領域においては、黒表示又は白表示が行われる。
【０１００】
ここで、以上の如き動作を行う共通配線駆動回路１１０の動作について、図８を用いて、より詳細に説明する。ここに、図８は、共通配線駆動回路１１０の動作を示すタイミングチャートである。尚、図８においては、走査線Ｙ１からＹ２９及びＹ１３０からＹｎに対応する非表示領域に対して黒表示又は白表示を行うと共に、走査線Ｙ３０からＹ１２９に対応する有効表示領域のみを用いて画像表示を行う例について説明する。また、走査の方向が順方向である例（つまり、走査線Ｙ１からＹｎに向かって順に走査される例）について説明する。
【０１０１】
図８に示すように、時刻ｔ１で極性信号ＰＯＬがローレベルからハイレベルに反転したとする。極性信号ＰＯＬがハイレベルに切り替わるため、前のフレーム（フレーム＃１）で第２電圧ＶＣＯＭＬが供給されていた（或いは、供給されるべき）奇数行の共通配線ＣＯＭｉ（但し、ｉ＝１、３、・・・、ｎ−１）には、次のフレーム（フレーム＃２）で第１電圧ＶＣＯＭＨが供給されるようになる。同様に、前のフレームで第１電圧ＶＣＯＭＨが供給されていた（或いは、供給されるべき）偶数行の共通配線ＣＯＭｊ（但し、ｊ＝２、４、・・・、ｎ）には、次のフレームで第２電圧ＶＣＯＭＬが供給されるようになる。
【０１０２】
ここで、走査線Ｙ１からＹ２９に対応する表示領域は非表示領域であるため、走査線Ｙ１からＹ２９の夫々にハイレベルの走査信号が供給される間は、パーシャル駆動信号ＰＳＬは、ローレベルの信号となる。従って、前のフレーム（フレーム＃１）で第２電圧供給線ＺＬと電気的に接続されていた奇数行の共通配線ＣＯＭｉについては、そのまま第２電圧供給線ＺＬと電気的に接続された状態が継続される。また、前のフレーム（フレーム＃１）で第１電圧供給線ＺＨと電気的に接続されていた偶数行の共通配線ＣＯＭｉについては、パーシャル駆動信号ＰＳＬがハイレベルからローレベルに切り替わるタイミングで、第１電圧供給線ＺＨと電気的に接続された状態から第２電圧供給線ＺＬと電気的に接続された状態へと切り替わる。
【０１０３】
その後、走査線Ｙ１からＹ２９に対する走査が終了した後には、パーシャル駆動信号ＰＳＬは、ハイレベルの信号となる。具体的には、走査線Ｙ３０からＹ１２９の夫々にハイレベルの走査信号が供給される間は、パーシャル駆動信号ＰＳＬは、ハイレベルの信号となる。従って、奇数行の共通配線ＣＯＭｉ（特に、ｉは、３１、３３、・・・、１２９）については、前段の行の走査線Ｙｉ−１にハイレベルの走査信号が供給された時点で、第２電圧供給線ＺＬと電気的に接続された状態から第１電圧供給線ＺＨと電気的に接続された状態へと切り替わる。また、偶数行の共通配線ＣＯＭｊ（特に、ｊ＝３０、３２、３４、・・・、１２８）については、既に第２電圧供給線ＺＬと電気的に接続されているため、そのまま第２電圧供給線ＺＬと電気的に接続された状態が維持される。
【０１０４】
その後、走査線Ｙ３０からＹ１２９に対する走査が終了した後には、パーシャル駆動信号ＰＳＬは、ローレベルの信号となる。具体的には、走査線Ｙ１３０からＹｎの夫々にハイレベルの走査信号が供給される間は、パーシャル駆動信号ＰＳＬは、ローレベルの信号となる。従って、奇数行の共通配線ＣＯＭｉ（特に、ｉは、１、３、・・・、２９、１３１、１３３、・・・）については、既に第２電圧供給線ＺＬと電気的に接続されているため、そのまま第２電圧供給線ＺＬと電気的に接続された状態が継続される。また、奇数行の共通配線ＣＯＭｉ（特に、ｉは、３１、３３、・・・、１２９）については、パーシャル駆動信号ＰＳＬがハイレベルからローレベルに切り替わるタイミングで、第１電圧供給線ＺＨと電気的に接続された状態から第２電圧供給線ＺＬと電気的に接続された状態へと切り替わる。また、偶数行の共通配線ＣＯＭｊについては、既に第２電圧供給線ＺＬと電気的に接続されているため、そのまま第２電圧供給線ＺＬと電気的に接続された状態が維持される。
【０１０５】
このように、本実施形態に係る液晶装置１００によれば、有効表示領域に対する走査を行う間は、互いに隣接する２つの共通配線ＣＯＭに対して互いに異なる電圧を供給しつつも、非表示領域に対する走査を行う間は、共通配線ＣＯＭの全ての電位を第２電位ＶＣＯＭＬにすることができる。つまり、有効表示領域においては、互いに隣接する２つの行の共通電極１１に対して互いに異なる電圧を供給しつつも、非表示領域においては、共通電極１１の全ての電位を第２電位ＶＣＯＭＬにすることができる。従って、有効表示領域を用いて通常の画像表示を行いつつ、非表示領域部分に対して黒表示（ノーマリーブラックモード時）又は白表示（ノーマリーホワイトモード時）を行うことができる。このように、画像表示領域１０ａの一部を非表示領域として設定することができるため、液晶装置１００の低消費電力化を図ることができる。
【０１０６】
加えて、本実施形態に係る液晶装置１００によれば、第１電圧ＶＣＯＭＨを供給する第１電圧源が第１電圧供給線ＺＨに接続されており且つ第２電圧ＶＣＯＭＬを供給するための第２電圧源が第２電圧供給線ＺＬに接続されていれば、非表示領域に対応する共通配線ＣＯＭの全ての電位を第２電圧ＶＣＯＭＬにすることができる。言い換えれば、非表示領域に対応する共通配線ＣＯＭの全ての電位を同電位にするために、第１電圧供給線ＺＨに対して第２電圧ＶＣＯＭＬを供給するための電圧源を新たに設けると共に該新たな電圧源を第１電圧供給線ＺＨに対して接続する必要はない。同様に、非表示領域に対応する共通配線ＣＯＭの全ての電位を同電位にするために、第２電圧供給線ＺＬに対して第１電圧ＶＣＯＭＨを供給するための電圧源を新たに設けると共に該新たな電圧源を第２電圧供給線ＺＬに接続する必要はない。つまり、パーシャル駆動を行うために、新たな電圧源を設ける必要はない。これにより、液晶装置１００の消費電力（特に、電圧源を含む共通配線駆動回路１１０の消費電力）を大幅に増加させることなく、ＣＯＭ分割駆動を採用する液晶装置１００においてパーシャル駆動等を採用することができる。更には、液晶装置１００の製造コスト等（特に、電圧源を含む共通配線駆動回路１１０の製造コスト等）をそれほど増大させることなく、ＣＯＭ分割駆動を採用する液晶装置１００においてパーシャル駆動等を採用することができる。
【０１０７】
尚、上述の実施形態では、奇数行の第１制御信号出力回路部１１２−１＃ｉからラッチ信号ＬＡＴｉ（つまり、極性信号ＰＯＬ）又はローレベルの信号が制御信号Ｓｉとして出力され、且つ偶数行の第２制御信号出力回路部１１２−２＃ｊから反転ラッチ信号／ＬＡＴｊ（つまり、反転極性信号／ＰＯＬ）又はローレベルの信号が制御信号Ｓｊとして出力される制御信号出力回路１１２の例について説明している。しかしながら、制御信号出力回路１１２がこれに限定されないことは言うまでもない。例えば、パーシャル駆動信号ＰＳＬがハイレベルの信号である場合には、奇数行の第１制御信号出力回路部１１２−１＃ｉ及び偶数行の第２制御信号出力回路部１１２−２＃ｊの夫々から互いに極性が反転した信号（例えば、極性信号ＰＯＬ及び反転極性信号／ＰＯＬ）が出力され、且つパーシャル駆動信号ＰＳＬがローレベルの信号である場合には、奇数行の第１制御信号出力回路部１１２−１＃ｉ及び偶数行の第２制御信号出力回路部１１２−２＃ｊの夫々から共に固定信号レベルを有する固定信号が出力されるように構成してもよい。このように構成しても、上述した効果を好適に享受することができる。但し、図６に示すように制御信号出力回路１１２中の各制御信号出力回路部が奇数行と偶数行とで異なる構成を有する（つまり、奇数行の第１制御信号出力回路部１１２−１＃ｉと偶数行の第２制御信号出力回路部１１２−２＃ｊとを有する）場合は、図７に示すように電圧選択回路１１３中の電圧選択回路部１１３−１＃１から１１３−１＃ｎが共通の構成を有することが好ましい。
【０１０８】
他方で、電圧選択回路１１３中の電圧選択回路部１１３−１＃１から１１３−＃ｎが、奇数行と偶数行とで異なる構成を有する場合も考えられる。このような構成を有する電圧選択回路１１３の一例について、図９を参照して説明する。ここに、図９は、変形例に係る電圧選択回路１１３ａの構成を概念的に示すブロック図である。
【０１０９】
例えば、図９に示すように、変形例に係る電圧選択回路１１３ａは、図７に示す電圧選択回路１１３と比較して、奇数行の電圧選択回路部１１３−１＃ｉに代えて、インバータＵ３１が取り除かれた奇数行の電圧選択回路部１１３ａ−１＃ｉを備えるという点において異なっている。また、変形例に係る電圧選択回路１１３ａは、図７に示す電圧選択回路１１３と比較して、偶数行の電圧選択回路部１１３−１＃ｊに代えて、インバータＵ３１が取り除かれ、ＴＦＴＵ３３のソース端子に第２電圧供給線ＺＬが電気的に接続され、ＴＦＴＵ３２のソース端子には、第１電圧供給線ＺＨが電気的に接続される偶数行の電圧選択回路部１１３ａ−２＃ｊを備えるという点において異なっている。
【０１１０】
このように電圧選択回路１１３中の電圧選択回路部１１３−１＃１から１１３−＃ｎが、奇数行と偶数行とで異なる構成を有する場合には、制御信号出力回路１１２中の各制御信号出力回路部が、全ての行で共通の構成を有することが好ましい。そして、制御信号出力回路１１２においては、パーシャル駆動信号ＰＳＬがハイレベルの信号である場合には、奇数行の第１制御信号出力回路部１１２−１＃ｉ及び偶数行の第２制御信号出力回路部１１２−２＃ｊの夫々から共に極性が同じ信号（つまり、極性信号ＰＯＬ及び反転極性信号／ＰＯＬのいずれか）が出力され、且つパーシャル駆動信号ＰＳＬがローレベルの信号である場合には、奇数行の第１制御信号出力回路部１１２−１＃ｉ及び偶数行の第２制御信号出力回路部１１２−２＃ｊの夫々から互いに極性が反転していると共に固定信号レベルを有する固定信号が出力されるように構成されることが好ましい。このような構成を有する制御信号出力回路１１２の一例について、図１０を参照して説明する。ここに、図１０は、変形例に係る制御信号出力回路１１２ａの構成を概念的に示すブロック図である。
【０１１１】
図１０に示すように、変形例に係る制御信号出力回路１１２ａは、図７に示す制御信号出力回路１１２と比較して、奇数行の第１制御信号出力回路部１１２−１＃ｉに代えて、インバータＵ２２が取り除かれた奇数行の第１制御信号出力回路部１１２ａ−１＃ｉを備えるという点において異なっている。尚、偶数行の第２制御信号出力回路部１１２−２＃ｊについては変わらない。
【０１１２】
第１制御信号出力回路部１１２ａ−１＃ｉからは、パーシャル駆動信号ＰＳＬがハイレベルの信号である場合には、反転極性信号／ＰＯＬが制御信号Ｓｉとして出力される一方で、パーシャル駆動信号ＰＳＬがローレベルの信号である場合には、ハイレベルの信号が制御信号Ｓｉとして出力される。また、第２制御信号出力回路部１１２−２＃ｊからは、上述したように、パーシャル駆動信号ＰＳＬがハイレベルの信号である場合には、反転極性信号／ＰＯＬが制御信号Ｓｊとして出力される一方で、パーシャル駆動信号ＰＳＬがローレベルの信号である場合には、ローレベルの信号が制御信号Ｓｊとして出力する。
【０１１３】
この場合、変形例に係る電圧選択回路１１３ａは、以下のように動作する。
【０１１４】
まず、パーシャル駆動信号ＰＳＬがハイレベルの信号である場合について説明する。この場合、奇数行の電圧選択回路部１１３ａ−１＃ｉにおいては、反転極性信号／ＰＯＬが、ＴＦＴＵ３２の非反転入力ゲート端子及びＴＦＴＵ３３の反転入力ゲート端子の夫々に入力される。このため、極性信号ＰＯＬの極性がローレベルである場合には、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｉとが、ＴＦＴＵ３２を介して電気的に接続される。他方で、極性信号ＰＯＬの極性がハイレベルである場合には、ＴＦＴＵ３２がオフ状態になり、ＴＦＴＵ３３がオン状態となる。その結果、第１電圧ＶＣＯＭＨを供給する第１電圧供給線ＺＨと走査線ＣＯＭｉとが、ＴＦＴＵ３３を介して電気的に接続される。また、偶数行の電圧選択回路部１１３ａ−２＃ｉにおいては、反転極性信号／ＰＯＬが、ＴＦＴＵ３２の非反転入力ゲート端子及びＴＦＴＵ３３の反転入力ゲート端子の夫々に入力される。このため、極性信号ＰＯＬの極性がローレベルである場合には、ＴＦＴＵ３２がオン状態になり、ＴＦＴＵ３３がオフ状態となる。その結果、第１電圧ＶＣＯＭＨを供給する第１電圧供給線ＺＨと走査線ＣＯＭｊとが、ＴＦＴＵ３２を介して電気的に接続される。他方で、極性信号ＰＯＬの極性がハイレベルである場合には、ＴＦＴＵ３２がオフ状態になり、ＴＦＴＵ３３がオン状態となる。その結果、第２電圧ＶＣＯＭＬを供給する第２電圧供給線ＺＬと走査線ＣＯＭｊとが、ＴＦＴＵ３３を介して電気的に接続される。
【０１１５】
このように、パーシャル駆動信号ＰＳＬがハイレベルの信号である場合（つまり、有効表示領域に対する走査を行っている場合）には、互いに隣接する共通配線ＣＯＭａ−１と共通配線ＣＯＭａとに対して互いに異なる電圧が供給される。この場合、データ線Ｘ１からＸｍには、データ線駆動回路１０１から、表示するべき画像に応じた画像信号が供給される。従って、当該有効表示領域においては、通常の画像表示動作が行われる。
【０１１６】
続いて、パーシャル駆動信号ＰＳＬがローレベルの信号である場合について説明する。この場合、奇数行の電圧選択回路部１１３ａ−１＃ｉにおいては、ハイレベルの信号が、ＴＦＴＵ３２の非反転入力ゲート端子及びＴＦＴＵ３３の反転入力ゲート端子の夫々に入力される。このため、ＴＦＴＵ３２がオン状態になり、ＴＦＴＵ３３がオフ状態となる。その結果、第２電圧ＶＣＯＭＬを供給する第２電圧供給線ＺＬと走査線ＣＯＭｉとが、ＴＦＴＵ３２を介して電気的に接続される。また、偶数行の電圧選択回路部１１３ａ−２＃ｊにおいては、ローレベルの信号が、ＴＦＴＵ３２の非反転入力ゲート端子及びＴＦＴＵ３３の反転入力ゲート端子の夫々に入力される。このため、ＴＦＴＵ３２がオフ状態になり、ＴＦＴＵ３３がオン状態となる。その結果、第２電圧ＶＣＯＭＬを供給する第２電圧供給線ＺＬと走査線ＣＯＭｊとが、ＴＦＴＵ３３を介して電気的に接続される。
【０１１７】
このように、パーシャル駆動信号ＰＳＬがローレベルの信号である場合（つまり、非表示領域に対する走査を行っている場合）には、非表示領域に対応する全ての共通配線ＣＯＭに対して第２電圧ＶＣＯＭＬが供給される。この場合、データ線Ｘ１からＸｍには、データ線駆動回路１０１から、第２電圧ＶＣＯＭＬが供給される。従って、当該非表示領域においては、黒表示又は白表示が行われる。
【０１１８】
従って、図９及び図１０に示すように構成したとしても、上述した効果を好適に享受することができる。
【０１１９】
尚、上述の説明では、画素電極９ａと共通電極１１とがＴＦＴ基板１０上に設けられつつも夫々異なる層に設けられると共に、画素電極９ａと共通電極１１とが絶縁層１２を間に挟持し、液晶層５０側の画素電極９ａに開口部を有するＦＦＳ方式を採用する液晶装置１００について説明を進めているが、液晶層５０側に、開口部を有する共通電極１１を設けるように構成してもよい。また、画素電極９ａと共通電極１１とが同じ層に設けられるＩＰＳ方式を採用する液晶装置においても、上述した構成を採用することで、上述した各種効果を享受することができることは言うまでもない。また、横電界駆動方式を採用する液晶装置のみならず、例えばＴＮ（ツイスト・ネマティック）方式や、ＥＣＢ（複屈折電界効果）方式や、ＶＡ（垂直配向）方式等の縦電界駆動方式を採用する液晶装置においても、上述した構成を採用することで、上述した各種効果を相応に享受することができる。
【０１２０】
（４）電子機器
続いて、図１１及び図１２を参照しながら、上述の液晶装置１００を具備してなる電子機器の例を説明する。
【０１２１】
図１１は、上述した液晶装置１００が適用されたモバイル型のパーソナルコンピュータの斜視図である。図１１において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【０１２２】
次に、上述した液晶装置１００を携帯電話に適用した例について説明する。図１２は、電子機器の一例である携帯電話の斜視図である。図１２において、携帯電話１３００は、複数の操作ボタン１３０２とともに、半透過反射型の表示形式を採用し、且つ上述した液晶装置１００と同様の構成を有する液晶装置１００５を備えている。
【０１２３】
これらの電子機器においても、上述した液晶装置１００を含んでいるため、上述した各種効果を好適に享受することができる。
【０１２４】
尚、図１１及び図１２を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１２５】
本発明は、上述した実施例に限られるものではなく、請求の範囲及び明細書全体から読み取れる発明の要旨或いは思想に反しない範囲で適宜変更可能であり、そのような変更を伴なう電気光学装置及び電子機器もまた本発明の技術的範囲に含まれるものである。
【図面の簡単な説明】
【０１２６】
【図１】実施形態に係る液晶装置の構成を示す平面図である。
【図２】図１のＨ−Ｈ’断面図である。
【図３】本実施形態に係る液晶装置の要部の電気的な構成を概念的に示すブロック図である。
【図４】共通配線駆動回路の構成を概念的に示すブロック図である。
【図５】共通配線駆動回路が備えるラッチ回路の構成を概念的に示すブロック図である。
【図６】共通配線駆動回路が備える制御信号出力回路の構成を概念的に示すブロック図である。
【図７】共通配線駆動回路が備える電圧選択回路の構成を概念的に示すブロック図である。
【図８】共通配線駆動回路の動作を示すタイミングチャートである。
【図９】変形例に係る電圧選択回路の構成を概念的に示すブロック図である。
【図１０】変形例に係る制御信号出力回路の構成を概念的に示すブロック図である。
【図１１】液晶装置が適用されたモバイル型のパーソナルコンピュータの斜視図である。
【図１２】液晶装置が適用された携帯電話の斜視図である。
【符号の説明】
【０１２７】
１…液晶装置、１１…共通電極、１０１…データ線駆動回路、１０４…走査線駆動回路、１１０…共通配線駆動回路、１１１…ラッチ回路、１１２…制御信号出力回路、１１３…電圧選択回路、Ｙ１〜Ｙｎ…走査線、ＣＯＭ１〜ＣＯＭｎ…共通配線、ＺＨ…第１電圧供給線、ＺＬ…第２電圧供給線
【図１】
2009205097.tif 000003
【図２】
2009205097.tif 000004
【図３】
2009205097.tif 000005
【図４】
2009205097.tif 000006
【図５】
2009205097.tif 000007
【図６】
2009205097.tif 000008
【図７】
2009205097.tif 000009
【図８】
2009205097.tif 000010
【図９】
2009205097.tif 000011
【図１０】
2009205097.tif 000012
【図１１】
2009205097.tif 000013
【図１２】
2009205097.tif 000014